(57)【要約】【課題】垂直磁気記録ヘッド及びそれを利用したデータ記録用の記録媒体を提供する。【解決手段】下端が所定の幅ｔ１を有するメインポール、上端がメインポールに連結され、下端がメインポールの下端と所定の間隔ｇ１で離隔されたリターンポール、下端がメインポールの下端から上側に所定の深さｄ１にリセスされたサブヨーク、メインポール及びサブヨークを取り囲むコイル、及び磁気遮蔽層とこれらの層の間に備えられた読み取り用のデバイスを備え、リセス深さｄ１と幅ｔ１との比（ｄ１／ｔ１）は、６より小さいか、または同一である（ｄ１／ｔ１≦６）ことを特徴とする垂直磁気記録ヘッドである。【選択図】図１
2006260756.tif 000002
【特許請求の範囲】
【請求項１】
垂直磁気記録ヘッドにおいて、
前記ヘッドは、
下端が所定の幅ｔ１を有するメインポールと、
上端が前記メインポールに連結され、下端が前記メインポールの下端と所定の間隔ｇ１で離隔されたリターンポールと、
下端が前記メインポールの下端から上側に所定の深さｄ１にリセスされたサブヨークと、
前記メインポール及び前記サブヨークを取り囲むコイルと、を備え、
前記リセス深さｄ１と前記幅ｔ１との比（ｄ１／ｔ１）は、６より小さいか、または同一である（ｄ１／ｔ１≦６）ことを特徴とする垂直磁気記録ヘッド。
【請求項２】
前記間隔ｇ１と前記幅ｔ１との比（ｇ１／ｔ１）は、０．３より小さいか、または同一である（ｇ１／ｔ１≦０．３）ことを特徴とする請求項１に記載の垂直磁気記録ヘッド。
【請求項３】
前記幅ｔ１は、次の数式を満足することを特徴とする請求項１に記載の垂直磁気記録ヘッド：
ｔ２／ｔ１≦０．３、ここで、ｔ２は、第１磁性層、中間層及びデータが記録される第２磁性層が順次に積層された記録媒体における前記第１磁性層の厚さである。
【請求項４】
前記間隔ｇ１は、次の数式を満足することを特徴とする請求項１に記載の垂直磁気記録ヘッド：
ｔ２／ｇ１≦０．６、ここで、ｔ２は、第１磁性層、中間層及びデータが記録される第２磁性層が順次に積層された記録媒体における前記第１磁性層の厚さである。
【請求項５】
前記第１磁性層の厚さｔ２と前記間隔ｇ１との比（ｔ２／ｇ１）は、０．６より小さいか、または同一である（ｔ２／ｇ１≦０．６）ことを特徴とする請求項３に記載の垂直磁気記録ヘッド。
【請求項６】
前記幅ｔ１は、次の数式を満足することを特徴とする請求項２に記載の垂直磁気記録ヘッド：
ｔ２／ｔ１≦０．３、ここで、ｔ２は、第１磁性層、中間層及びデータが記録される第２磁性層が順次に積層された記録媒体における前記第１磁性層の厚さである。
【請求項７】
前記間隔ｇ１は、次の数式を満足することを特徴とする請求項２に記載の垂直磁気記録ヘッド：
ｔ２／ｇ１≦０．６、ここで、ｔ２は、第１磁性層、中間層及びデータが記録される第２磁性層が順次に積層された記録媒体における前記第１磁性層の厚さである。
【請求項８】
下端が所定の幅ｔ１を有するメインポールと、
上端が前記メインポールに連結され、下端が前記メインポールの下端と所定の間隔ｇ１で離隔されたリターンポールと、
下端が前記メインポールの下端から上側に所定の深さｄ１にリセスされたサブヨークと、
前記メインポール及び前記サブヨークを取り囲むコイルと、を備え、
前記幅ｔ１は、次の数式を満足することを特徴とする垂直磁気記録ヘッド：
ｔ２／ｔ１≦０．３、ここで、ｔ２は、第１磁性層、中間層及びデータが記録される第２磁性層が順次に積層された記録媒体で前記第１磁性層の厚さである。
【請求項９】
前記厚さｔ２と前記間隔ｇ１との比（ｔ２／ｇ１）は、０．６より小さいか、または同一である（ｔ２／ｇ１≦０．６）ことを特徴とする請求項８に記載の垂直磁気記録ヘッド。
【請求項１０】
前記間隔ｇ１と前記幅ｔ１との比（ｇ１／ｔ１）は、０．３より小さいか、または同一である（ｇ１／ｔ１≦０．３）ことを特徴とする請求項８に記載の垂直磁気記録ヘッド。
【請求項１１】
前記間隔ｇ１と前記幅ｔ１との比（ｇ１／ｔ１）は、０．３より小さいか、または同一である（ｇ１／ｔ１≦０．３）ことを特徴とする請求項９に記載の垂直磁気記録ヘッド。
【請求項１２】
第１磁性層と、
前記第１磁性層上に形成された中間層と、
前記中間層上に備えられており、データが記録される第２磁性層と、を備え、
前記第１磁性層の厚さｔ２は、次の数式を満足することを特徴とする記録媒体：
ｔ２／ｔ１≦０．３、ここで、前記ｔ１は、前記メインポールの下端の幅である。
【請求項１３】
前記厚さｔ２は、次の数式を満足することを特徴とする請求項１２に記載の記録媒体：
ｔ２／ｇ１≦０．６、ここで、ｇ１は、前記メインポールの下端と前記リターンポールの下端とのギャップである。
【発明の詳細な説明】
【技術分野】
【０００１】
本発明は、磁気記録ヘッドに係り、特に垂直磁気記録ヘッド及びそれを利用したデータ記録用の記録媒体に関する。
【背景技術】
【０００２】
インターネットの接続が普遍化され、個人あるいは団体の情報共有がインターネット上で自由に行われつつ、利用できる情報の量は急激に増加している。このような現実で、ユーザーの関心がインターネットの接続及びデータ処理速度が速く、データ保存能力が大きいコンピュータに集められることは当然である。
【０００３】
コンピュータのデータ処理速度を速めるために、ＣＰＵチップとコンピュータの周辺装置の改善が行われており、データ保存能力を向上させるために、多様な形態の記録媒体、例えばハードディスクが紹介されている。
【０００４】
最近、強誘電層をデータ記録層として利用する記録媒体が時々紹介されているが、ほとんどの記録媒体は、依然としてデータ記録層として磁性層を利用する磁気記録媒体である。
【０００５】
磁気記録媒体において、データ記録方式は、水平磁気記録方式と垂直磁気記録方式とに大別される。
【０００６】
前者は、磁気分極が磁性層の表面に平行に整列されうる磁性層を利用してデータを記録する方式であり、後者は、磁気分極が磁性層の表面に垂直に整列されうる磁性層を利用してデータを記録する方式である。
【０００７】
データの記録密度を考慮すれば、前記垂直磁気記録方式は、前記水平磁気記録方式よりはるかに有利である。
【０００８】
磁性層にデータを記録する過程は、前記磁性層と磁気ヘッドとの相互作用として見ることができる。このため、磁性層にデータを高密度で記録するためには、磁性層だけでなく磁気ヘッドの改善も要求される。
【０００９】
最近の情報技術の発展と共に、垂直磁気記録方式への関心が高くなりつつ、前記垂直磁気記録方式を具現できる色々な種類の磁気ヘッドが紹介されている。
【００１０】
現在まで紹介された垂直磁気記録方式を具現する磁気ヘッド（以下、従来の磁気ヘッド）は、基本的に磁性層にデータを記録するためのメインポール及びリターンポールを備え、前記磁性層に記録されたデータを読み取るための磁気抵抗体（ＭＲ）を備える。
【００１１】
前記垂直磁気記録方式を使用しつつ、前記磁性層のトラック密度を高める場合、前記磁性体に対するデータ記録密度はさらに高めることができる。磁性層のトラック密度の増加は、トラックピッチの減少を意味する。したがって、前記従来の磁気ヘッドのサイズは、前記トラックピッチの減少に比例して小さくなる必要があり、実際に前記従来の磁気ヘッドのサイズは、前記トラックピッチの減少によって小さくなる。
【００１２】
しかし、前記従来の磁気ヘッドの場合、スキュー角によってトラック方向に相当量の漏れ磁束が発生する。これにより、前記従来の磁気ヘッドを利用して前記磁性体の選択されたトラックにデータを記録する過程で、選択されていないトラックにも所望しないデータが記録されうる。
【発明の開示】
【発明が解決しようとする課題】
【００１３】
本発明が解決しようとする課題は、前述した従来技術の問題点を改善するためのものであって、高密度の垂直磁気記録媒体にデータを記録する過程でスキュー効果を最小化できる、すなわちスキュー角による磁束漏れを防止するか、漏れ磁束を最小化できる垂直磁気記録用の磁気ヘッドを提供するところにある。
【００１４】
本発明が解決しようとする他の課題は、前記垂直磁気記録ヘッドの特性の改善に影響を与える因子を有する記録媒体を提供するところにある。
【課題を解決するための手段】
【００１５】
前記課題を解決するために、本発明は、垂直磁気記録ヘッドにおいて、前記ヘッドは、下端が所定の幅ｔ１を有するメインポール、上端が前記メインポールに連結され、下端が前記メインポールの下端と所定の間隔ｇ１で離隔されたリターンポール、下端が前記メインポールの下端から上側に所定の深さｄ１にリセスされたサブヨーク、前記メインポール及び前記サブヨークを取り囲むコイル、及び磁気遮蔽層とこれらの層との間に備えられた読み取り用のデバイスを備え、前記リセス深さｄ１と前記幅ｔ１との比（ｄ１／ｔ１）は、６より小さいか、または同一である（ｄ１／ｔ１≦６）ことを特徴とする磁気ヘッドを提供する。
【００１６】
本発明の他の実施形態によれば、前記磁気ヘッドにおいて、前記間隔ｇ１と前記幅ｔ１との比（ｇ１／ｔ１）は、０．３より小さいか、または同一でありうる。このとき、前記幅ｔ１は、数式３を満足する。
【００１７】
また、本発明のさらに他の実施形態によれば、前記間隔ｇ１は、数式４を満足する。
【００１８】
前記課題を解決するために、本発明は、下端が所定の幅ｔ１を有するメインポール、上端が前記メインポールに連結され、下端が前記メインポールの下端と所定の間隔ｇ１で離隔されたリターンポール、下端が前記メインポールの下端から上側に所定の深さｄ１にリセスされたサブヨーク、前記メインポール及び前記サブヨークを取り囲むコイル、及び磁気遮蔽層とこれらの層との間に備えられた読み取り用のデバイスを備え、前記幅ｔ１は、数式３を満足することを特徴とする磁気ヘッドを提供する。
【００１９】
このとき、前記磁気ヘッドにおいて、前記間隔ｇ１は、数式４を満足する。また、前記間隔ｇ１及び前記幅ｔ１は、数式２を満足する。
【００２０】
前記他の課題を解決するために、本発明は、メインポール及びリターンポールを備える垂直磁気記録ヘッドを利用してデータが記録される記録媒体において、前記記録媒体は、第１磁性層、前記第１磁性層上に形成された中間層、及び前記中間層上に備えられており、データが記録される第２磁性層を備え、前記第１磁性層の厚さｔ２は、数式３を満足することを特徴とする記録媒体を提供する。
【００２１】
本発明の他の実施形態によれば、前記厚さｔ２は、数式４を満足する。
【００２２】
このような本発明の磁気ヘッドにおいて、メインポールとリターンポールとの間に存在する磁場の勾配は、従来に比べてはるかに大きい。したがって、本発明の磁気ヘッドを利用すれば、スキュー効果による磁束漏れを防止するか、または漏れ磁束を最小化できる。したがって、本発明を利用すれば、記録媒体の選択されたトラックにのみ所望のデータを記録でき、選択されていないトラックに所望しないデータが記録される場合にもその影響を最小化できる。
【発明の効果】
【００２３】
本発明の磁気ヘッドを利用すれば、記録媒体の選択されたトラックに対するデータ記録用磁場の集束度を向上させ、かつ前記記録用磁場の勾配も増加できるので、データを記録する過程で、スキュー効果によって前記選択されたトラック以外のトラックに所望しないデータの記録を防止または最小化できる。
【発明を実施するための最良の形態】
【００２４】
以下、本発明の実施形態による垂直磁気記録ヘッド（以下、本発明の磁気ヘッド）を、添付された図面を参照して詳細に説明する。この過程で、図面に示した層や領域の厚さは、明細書の明確性のために誇張されて示したものである。
【００２５】
図１は、本発明の磁気ヘッドの核心部分と共に記録媒体を示す図面である。
【００２６】
図１に示すように、本発明の磁気ヘッドは、記録媒体４４にデータを記録するのに使われる記録部１００、及び記録媒体４４に記録されたデータを読み取るのに使われる再生部２００を備える。
【００２７】
記録部１００は、メインポールＰ１、リターンポールＰ２、サブヨーク４０及びコイルＣを備える。前記リターンポールＰ２及びサブヨーク４０は、同じ材質、例えばニッケル鉄（ＮｉＦｅ）で形成できるが、成分比を異ならせてそれぞれの保磁力値Ｂｓは異ならせることが望ましい。前記メインポールＰ１は、ＮｉＦｅ、ＮｉＦｅＴａ、ＣｏＦｅまたはＣｏＦｅＴａからなりうる。メインポールＰ１及びリターンポールＰ２は、記録媒体４４にデータを記録するのに直接使われる。サブヨーク４０は、データを記録する過程で発生する磁場を、データを記録しようとする記録媒体４４の選択された領域に集める役割を行う。メインポールＰ１は、所定の幅ｔ１を有する。メインポールＰ１を中心として一方にリターンポールＰ２が備えられており、他方にサブヨーク４０が備えられている。前記サブヨーク４０は、メインポールＰ１に付着されている。そして、前記サブヨーク４０は、メインポールＰ１の下端から上側に所定の深さｄ１にリセスされている。すなわち、サブヨーク４０の下端は、メインポールＰ１の下端より上側に位置する。このようにして、メインポールＰ１とサブヨーク４０の下端との間には、前記リセス深さｄ１に該当する段差が存在する。
【００２８】
コイルＣは、メインポールＰ１及びサブヨーク４０の周囲を取り囲んでいる。メインポールＰ１の下端とリターンポールＰ２の下端との間にギャップｇ１が存在する。このギャップｇ１は、メインポールＰ１とリターンポールＰ２の上部まで拡張されているが、メインポールＰ１の中間部とリターンポールＰ２の中間部とのギャップｇ２は、前記下端のギャップｇ１よりはるかに広い。メインポールＰ１の中間部とリターンポールＰ２の中間部とのギャップｇ２をコイルＣが通過する。メインポールＰ１とリターンポールＰ２の上端とは連結されている。
【００２９】
このような構造を有する記録部１００において、メインポールＰ１の幅ｔ１、サブヨーク４０のリセス深さｄ１及びメインポールＰ１の下端とリターンポールＰ２の下端とのギャップｇ１は、記録媒体４４にデータを記録する過程で選択されていないトラックに所望しないデータの記録を防止可能に、メインポールＰ１で発生する磁場の勾配を最適化できる値を有することが望ましい。メインポールＰ１の幅ｔ１、サブヨーク４０のリセス深さｄ１及びメインポールＰ１の下端とリターンポールＰ２の下端とのギャップｇ１には、次の数式１及び２のような関係が成立する。
ｄ１／ｔ１≦６・・・（数式１）
ｇ１／ｔ１≦０．３・・・（数式２）
【００３０】
記録媒体４４にデータを記録するとき、メインポールＰ１の下端とリターンポールＰ２の下端との間に記録用磁場が発生する。前記記録用磁場は、メインポールＰ１の下端から記録媒体４４の第２磁性層４４ｃと中間層４４ｂとを貫通して第１磁性層４４ａに沿ってリターンポールＰ２の下部に達した後、記録媒体４４の中間層４４ｂ及び第２磁性層４４ａを貫通してリターンポールＰ２の下端に入る。
【００３１】
再生部２００は、コイルＣを挟んで記録部１００に接している。再生部２００は、第１及び第２磁気遮蔽層Ｓ１，Ｓ２を備え、第１磁気遮蔽層Ｓ１と第２磁気遮蔽層Ｓ２との間に読み取り用のデバイス４２を備える。第１及び第２磁気遮蔽層Ｓ１，Ｓ２は、選択されたトラックの所定位置からデータを読み取る間に、前記所定位置の周囲の磁気的要素から発生する磁場の前記所定位置への到達を遮断する。読み取り用のデバイス４２は、例えばＧＭＲ（Ｇｉａｎｔ Ｍａｇｎｅｔｏ−Ｒｅｓｉｓｔｉｖｅ）またはＴＭＲ（Ｔｕｎｎｅｌｉｎｇ Ｍａｇｎｅｔｏ−Ｒｅｓｉｓｔｉｖｅ）でありうる。
【００３２】
一方、記録媒体４４にデータを記録する過程、及び記録媒体４４からデータを読み取る過程は、磁場を媒介として本発明の磁気ヘッドと記録媒体４４とが相互作用する過程として見ることができる。記録媒体４４は、中間層４４ｂを備え、中間層４４ｂ上には、データが記録される第２磁性層４４ｃを備える。そして、中間層４４ｂの下部には、軟磁性物質からなる第１磁性層４４ａを備える。このように、記録媒体４４は、第１及び第２磁性層４４ａ，４４ｃを備え、記録媒体４４にデータを記録するとき、メインポールＰ１で発生する磁場は、記録媒体４４の第１及び第２磁性層４４ａ，４４ｃを通過する。したがって、記録媒体４４の構成要素、特に第１磁性層４４ａの厚さｔ２は、メインポールＰ１の幅ｔ１、メインポールＰ１の下端とリターンポールＰ２の下端とのギャップｇ１と共に、データを記録する過程でメインポールＰ１で発生する磁場に影響を与えることができる。
【００３３】
データを記録する過程で、記録媒体４４の選択されていないトラックに所望しないデータの記録を最小化または防止可能に、メインポールＰ１で発生する磁場の勾配を最適化するために、第１磁性層４４ａの厚さｔ２、メインポールＰ１の幅ｔ１、メインポールＰ１の下端とリターンポールＰ２の下端とのギャップｇ１は、次の数式３及び数式４の関係を満足する値を有することが望ましい。
ｔ２／ｔ１≦０．３・・・（数式３）
ｔ２／ｇ１≦０．６・・・（数式４）
【００３４】
本発明者は、前述した本発明の磁気ヘッドを利用して記録媒体にデータを記録する過程で、メインポールＰ１の幅ｔ１、サブヨーク４０のリセス深さｄ１、メインポールＰ１の下端とリターンポールＰ２の下端とのギャップｇ１、及び第１磁性層４４ａの厚さｔ２の変化が、メインポールＰ１で発生する磁場の勾配に及ぼす影響に対するシミュレーションを実施した。
【００３５】
図２は、前述した本発明の磁気ヘッドのメインポールＰ１の下端とリターンポールＰ２の下端とのギャップｇ１、及び記録媒体４４の第１磁性層４４ａの厚さｔ２のみを変化させ、本発明の磁気ヘッドの他の構成要素の諸元及び記録媒体４４の他の構成要素の諸元は、いずれも所定の値に固定させた状態で実施したシミュレーション結果を示す。図２において、第１グラフＧＧ１は、本発明の磁気ヘッドのメインポールＰ１の下端とリターンポールＰ２の下端とのギャップｇ１が４０ｎｍであるとき、記録媒体４４の第１磁性層４４ａの厚さの変化による磁場の勾配の変化に対するシミュレーション結果を示し、第２グラフＧＧ２は、ギャップｇ１が１００ｎｍであるときのシミュレーション結果を示す。
【００３６】
図２の第１及び第２グラフＧＧ１，ＧＧ２を比較すれば、記録用磁場の勾配は、記録媒体４４の第１磁性層４４ａの厚さｔ２が６０ｎｍ以下である状況で、ギャップｇ１が１００ｎｍであるときよりギャップｇ１が４０ｎｍであるときがさらに小さいということが分かる。第１磁性層４４ａの厚さｔ２が６０ｎｍ以下であり、ギャップｇ１が１００ｎｍであるとき、第１磁性層４４ａの厚さｔ２とギャップｇ１との比（ｔ２／ｇ１＝６０ｎｍ／１００ｎｍ）は０．６以下となるが、このような結果は、数式４と一致する。
【００３７】
図２の結果は、第１磁性層４４ａの厚さｔ２及びメインポールＰ１の下端とリターンポールＰ２の下端とのギャップｇ１の関係が数式４を満足するとき、記録用磁場の勾配は、前記厚さｔ２とギャップｇ１との関係が数式４を満足しないときより増加するという事実を証明するものである。
【００３８】
したがって、前述した本発明の磁気ヘッドの前記ギャップｇ１が前記数式４を満足し、前述した記録媒体４４が前記数式４を満足するとき、本発明の磁気ヘッドを利用して記録媒体４４の選択されたトラックにデータを記録すれば、記録媒体４４の選択されていないトラックに所望しないデータの記録を防止または最小化できる。
【００３９】
図３は、前述した本発明の磁気ヘッドのメインポールＰ１の下端とリターンポールＰ２の下端とのギャップｇ１、及びメインポールＰ１の幅ｔ１のみを変化させ、本発明の磁気ヘッドの他の構成要素の諸元及び記録媒体４４の構成要素の諸元は、いずれも所定の値に固定させた状態で実施したシミュレーション結果を示す。
【００４０】
図３において、第１グラフＧ１１は、本発明の磁気ヘッドのメインポールＰ１の下端とリターンポールＰ２の下端とのギャップｇ１とメインポールＰ１の幅ｔ１との比（ｇ１／ｔ１）が０．１６であるときのシミュレーション結果を示し、第２グラフＧ２２は、前記比（ｇ１／ｔ１）が０．２であるときの結果を示し、第３グラフＧ３３は、前記比（ｇ１／ｔ１）が０．４であるときの結果を示す。
【００４１】
記録媒体４４にデータを記録する過程で、メインポールＰ１で発生する磁場の強度は０．８〜１．４［Ｔ］程度である。それに鑑みて図３の第１ないし第３グラフＧ１１，Ｇ２２，Ｇ３３を比較すれば、第２磁性層４４ｃの保磁力が４，０００〜５，０００［Ｏｅ］であるとき、メインポールＰ１で発生する磁場の勾配は、前記比（ｇ１／ｔ１）が０．１６及び０．２であるときとほぼ同一であり、前記比（ｇ１／ｔ１）が０．４であるときよりはるかに大きいということが分かる。図３の結果は、本発明の磁気ヘッドのメインポールＰ１の下端とリターンポールＰ２の下端とのギャップｇ１及びメインポールＰ１の幅ｔ１が数式２を満足すれば、データを記録する過程で、メインポールＰ１の下端で発生する磁場の勾配が向上することを示す。
【００４２】
したがって、本発明の磁気ヘッドが数式２を満足する構造を有するときも、本発明の磁気ヘッドを利用して記録媒体４４の選択されたトラックにのみ所望のデータを記録でき、選択されていないトラックに所望しないデータの記録を防止または最小化できる。
【００４３】
図４は、前述した本発明の磁気ヘッドのメインポールＰ１の幅ｔ１及びサブヨーク４０の深さｄ１のみを変化させ、本発明の磁気ヘッドの他の構成要素の諸元及び記録媒体４４の構成要素の諸元は、いずれも所定の値に固定させた状態で、記録用磁場の勾配の変化を測定するために実施したシミュレーション結果を示す。図４の横軸は、サブヨーク４０の深さｄ１とメインポールＰ１の幅ｔ１との比（ｄ１／ｔ１）を表す。
【００４４】
図４のグラフを参照すれば、前記比（ｄ１／ｔ１）が６以下であるときの磁場の勾配が、前記比が６より大きいときの磁場の勾配より大きいということが分かる。このような結果は、本発明の磁気ヘッドが数式１を満足する構造のみを有する場合にも、記録媒体４４にデータを記録する過程で、選択されていないトラックに所望しないデータの記録を防止または最小化できるということを意味する。
【００４５】
前述した結果を通じて見るとき、たとえ数式３に対するシミュレーションは実施しなかったとしても、本発明の磁気ヘッドが数式３を満足する構造のみを有する場合にも、本発明の磁気ヘッドを利用して記録媒体４４の選択されたトラックにのみ所望のデータを記録できる十分な蓋然性があるということが分かる。
【００４６】
前記した説明で多くの事項が具体的に記載されているが、それらは、発明の範囲を限定するものというより、望ましい実施形態の例示として解釈されねばならない。例えば、当業者ならば、本発明の磁気ヘッドにおいて、メインポールＰ１の下端とリターンポールＰ２の下端とのギャップｇ１、サブヨーク４０のリセス深さｄ１、メインポールＰ１の幅ｔ１を固定させた状態で磁気ヘッドの他の構成要素の諸元を変更してもよく、前記値と共に前記他の構成要素の諸元を共に変更してもよい。また、図１に示した本発明の磁気ヘッドと異なる構造を有する垂直磁気ヘッドに対して、数式１ないし４と類似した関係を類推することもできる。また、メインポールＰ１、リターンポールＰ２及びサブヨーク４０をＮｉＦｅ以外の磁性物質で形成し、前記数式１ないし４の固定値を変更することもできる。したがって、本発明の範囲は、説明された実施形態により決まるものではなく、特許請求の範囲に記載された技術的思想により決まらねばならない。
【産業上の利用可能性】
【００４７】
本発明は、垂直磁気記録媒体を備えるデータ保存装置、例えばハードディスクドライブに適用できる。
【図面の簡単な説明】
【００４８】
【図１】本発明の実施形態による垂直磁気記録ヘッドの核心部分を示す断面図である。
【図２】図１に示した垂直磁気記録ヘッドの諸元によるメインポールで発生する磁場の勾配の変化に対するシミュレーション結果を示すグラフである。
【図３】図１に示した垂直磁気記録ヘッドの諸元によるメインポールで発生する磁場の勾配の変化に対するシミュレーション結果を示すグラフである。
【図４】図１に示した垂直磁気記録ヘッドの諸元によるメインポールで発生する磁場の勾配の変化に対するシミュレーション結果を示すグラフである。
【符号の説明】
【００４９】
４０  サブヨーク
４２  読み取り用のデバイス
４４  記録媒体
４４ａ  第１磁性層
４４ｂ  中間層
４４ｃ  第２磁性層
１００  記録部
２００  再生部
Ｃ  コイル
Ｐ１  メインポール
Ｐ２  リターンポール
Ｓ１  第１磁気遮蔽層
Ｓ２  第２磁気遮蔽層
【図１】
2006260756.tif 000003
【図２】
2006260756.tif 000004
【図３】
2006260756.tif 000005
【図４】
2006260756.tif 000006